(57)【要約】【課題】通信サービスの契約における決済手段の登録作業を簡素化する。【解決手段】所定の決済媒体を読み取ることにより決済用識別情報を取得し、且つ所定の決済媒体の認証用データの入力を受け付けることにより認証用データを取得する取得部３５１と、決済用識別情報を、情報処理端末３０を利用した通信サービスの費用の決済手段として登録することを要求する決済手段登録要求と、決済用識別情報と、認証用データとを、情報処理装置１０に送信する送信部３２と、を備える情報処理端末３０。【選択図】図１
2020173623.tif 000002
【特許請求の範囲】
【請求項１】
情報処理端末であって、
所定の決済媒体を読み取ることにより決済用識別情報を取得し、且つ前記所定の決済媒体の認証用データの入力を受け付けることにより前記認証用データを取得する取得部と、
前記決済用識別情報を、前記情報処理端末を利用した通信サービスの費用の決済手段として登録することを要求する決済手段登録要求と、前記決済用識別情報と、前記認証用データとを、情報処理装置に送信する送信部と、を備える情報処理端末。
【請求項２】
前記認証用データは、前記決済媒体に対応する暗証番号を含む、請求項１に記載の情報処理端末。
【請求項３】
前記認証用データは、前記決済媒体の保有者の顔情報を含む、請求項１又は２に記載の情報処理端末。
【請求項４】
前記決済媒体は、クレジットカード又はキャッシュカードである、請求項１から３のいずれか一項に記載の情報処理端末。
【請求項５】
前記送信部は、前記情報処理端末を識別するための端末ＩＤを更に送信する、請求項１から４のいずれか一項に記載の情報処理端末。
【請求項６】
前記情報処理装置から、前記決済手段に基づいて生成された契約内容のリコメンドを受信する受信部と、
受信された前記契約内容のリコメンドを表示部に表示制御する表示制御部と、を更に備える、請求項１から５のいずれか一項に記載の情報処理端末。
【請求項７】
前記所定の決済媒体と結合する結合部を更に備える、請求項１から６のいずれか一項に記載の情報処理端末。
【請求項８】
前記結合部は、前記所定の決済媒体を挿入するための挿入部である、請求項７に記載の情報処理端末。
【請求項９】
情報処理端末に、
所定の決済媒体を読み取ることにより決済用識別情報を取得し、且つ前記所定の決済媒体の認証用データの入力を受け付けることにより前記認証用データを取得するステップと、
前記決済用識別情報を、前記情報処理端末を利用した通信サービスの費用の決済手段として登録することを要求する決済手段登録要求と、前記決済用識別情報と、前記認証用データとを、情報処理装置に送信するステップと、を実行させるプログラム。
【請求項１０】
情報処理端末及び情報処理装置を備える情報処理システムであって、
前記情報処理端末は、
所定の決済媒体を読み取ることにより決済用識別情報を取得し、且つ前記所定の決済媒体の認証用データの入力を受け付けることにより前記認証用データを取得する取得部と、
前記決済用識別情報を、前記情報処理端末を利用した通信サービスの費用の決済手段として登録することを要求する決済手段登録要求と、前記決済用識別情報と、前記認証用データとを、前記情報処理装置に送信する第１送信部と、を備え、
前記情報処理装置は、
前記認証用データの認証要求を他の情報処理装置に送信する第２送信部と、
前記他の情報処理装置から、前記認証用データの認証結果を受信する受信部と、
前記認証結果が肯定的であった場合、前記決済手段を、前記情報処理端末を利用した通信サービスの費用の決済手段として登録する登録部と、を備える、情報処理システム。
【請求項１１】
情報処理装置であって、
情報処理端末から、所定の決済媒体を読み取ることにより取得された決済用識別情報を、前記情報処理端末を利用した通信サービスの費用の決済手段として登録することを要求する決済手段登録要求と、前記決済用識別情報と、認証用データとを受信する受信部と、
前記認証用データの認証要求を他の情報処理装置に送信する送信部と、
前記他の情報処理装置から、前記認証用データによる認証の結果を受信する受信部と、
前記結果が肯定的であった場合、前記決済手段を、前記情報処理端末を利用した通信サービスの費用の決済手段として登録する登録部と、を実行させる情報処理装置。
【発明の詳細な説明】
【技術分野】
【０００１】
本発明は、情報処理端末、情報処理装置、情報処理システム、情報処理方法、及びプログラムに関する。
【背景技術】
【０００２】
スマートホン等の端末による通信サービスを受けたい場合、ユーザは、通信サービスの提供者が運営するショップにおいて、ショップ店員とのやり取りを通じて銀行口座番号やクレジットカード番号等の通信サービス費用の決済手段を登録してもらう必要がある。例えば、特許文献１には、コイン等を所持していなくても通信料金をユーザが指定した銀行口座から引き落とすことを可能にする電話網システムが記載されている。当該電話網システムにおいては、ユーザは通信事業者の営業窓口に対し、予め通信代金を引き落とすための銀行口座と本人を認証できる証書を提示して、暗証番号などの個人認証番号を個人認証機能の個人認証データベースに登録しておく必要がある。
【先行技術文献】
【特許文献】
【０００３】
【特許文献１】特開２００２−３００３２５号公報
【発明の概要】
【発明が解決しようとする課題】
【０００４】
しかしながら、ショップ店員を通じての決済手段の登録は、煩雑であり長時間を要する場合も少なくない。また、人間の手によって登録を行っているため、情報の入力ミスが起きる可能性もある。更には、昨今、外国人観光客の数が急激に増加しているが、外国人観光客が日本において端末の契約を簡易に行えるようにすることは、観光産業の発展にとっても重要である。
【０００５】
そこで、本発明は、通信サービスの契約における決済手段の登録作業を簡素化することの可能な情報処理端末及びプログラムを提供することを目的とする。
【課題を解決するための手段】
【０００６】
本発明の一態様に係る情報処理端末は、所定の決済媒体を読み取ることにより決済用識別情報を取得し、且つ所定の決済媒体の認証用データの入力を受け付けることにより認証用データを取得する取得部と、決済用識別情報を、情報処理端末を利用した通信サービスの費用の決済手段として登録することを要求する決済手段登録要求と、決済用識別情報と、認証用データとを情報処理装置に送信する送信部と、を備える。
【０００７】
この態様によれば、通信サービスの契約においてショップ店員等の人出を介さずに決済手段を登録することが可能となる。そのため、通信サービスの契約における決済手段の登録作業が簡素化される。
【発明の効果】
【０００８】
本発明によれば、通信サービスの契約における決済手段の登録作業を簡素化することの可能な情報処理端末、情報処理装置、情報処理システム、情報処理方法、及びプログラムを提供することができる。
【図面の簡単な説明】
【０００９】
【図１】通信サービスの契約に必要な決済手段を、端末を用いた本発明による新しい手法により登録する手法を説明するための概念図である。
【図２】本発明の実施形態に係る通信システム１の構成の一例を示す図である。
【図３】通信管理サーバ１０の機能構成を示す概略図である。
【図４】契約情報管理テーブルの一例を示す図である。
【図５】決済用識別情報管理サーバ２０の機能構成を示す概略図である。
【図６】口座管理テーブルの一例を示す図である。
【図７】クレジット管理テーブルの一例を示す図である。
【図８】端末３０の機能構成を示す概略図である。
【図９】本発明の実施形態に係る通信システム１による決済手段の登録処理の動作シーケンスの一例を示す図である。
【図１０】読取指示画面の一例を示す図である。
【図１１】暗証番号入力画面の一例を示す図である。
【図１２】顔情報入力画面の一例を示す図である。
【図１３】登録済通知画面の一例を示す図である。
【図１４】決済媒体４０の機能構成を示す概略図である。
【発明を実施するための形態】
【００１０】
添付図面を参照して、本発明の好適な実施形態について説明する。（なお、各図において、同一の符号を付したものは、同一又は同様の構成を有する。）
【００１１】
（１）端末を用いた新しい決済手段登録手法
図１は、通信サービスの契約に必要な決済手段を、端末を用いた本発明による新しい手法により登録する手法を説明するための概念図である。図１の上段は、端末を用いた従来の決済手段登録手法を説明するための概念図であり、図１の下段は、端末を用いた新しい決済手段登録手法を説明するための概念図である。
【００１２】
図１の上段に示されるように、従来では、ユーザは、通信サービスの契約を行うショップにおいて、ショップ店員とのやり取りを通じて、決済手段を登録する。具体的には、ユーザは、ショップ店員から渡された記入フォームなどに、例えばクレジットカード番号や銀行口座の口座番号等の決済用識別情報等の情報を記入する。そして、ショップ店員は、ユーザが記入フォームに記入した情報を見ながら、コンピュータに当該情報を打ち込んだ上で、打ち込んだ情報をサーバに送信し、決済用識別情報を決済手段として登録するよう要求する。サーバは、受信した決済用識別情報をクレジットカードや銀行口座を管理する機関システムに転送し、当該決済用識別情報の認証を要求する。サーバは、機関システムが所定の認証結果を回答すると、当該決済用識別情報を所定の電話番号に対応付けて記憶部に格納する。そしてサーバは、通信サービスの使用が可能になった旨をショップのコンピュータに通知する。以上の手順により、端末は、通信サービスを使用することが可能となる。
【００１３】
このように、従来の手法では、ユーザが記入フォームに決済用識別情報等の情報を記入し、ショップ店員が当該情報をコンピュータに入力するなどの必要があり、大幅に時間がかかってしまっていた。また、これら作業は人間が行っているため、記入や入力のミスが生じる可能性があった。
【００１４】
図１の下段に示されるように、本発明では、ユーザは、自身のクレジットカードやキャッシュカード等の決済媒体を端末に挿入し又は近接させて、端末にクレジットカード番号や銀行口座番号等の決済用識別情報を取得させる。そして、端末は、取得された決済用識別情報を通信サービス費用の決済手段として登録することを要求する登録要求をサーバに送信する。サーバは、登録要求を受信すると、登録要求に含まれる決済用識別情報に係る認証を、当該決済用識別情報を管理する機関システム（例えば、クレジットカード会社の機関システムや、銀行の機関システム）に要求する。サーバは、機関システムが所定の認証を行った上で肯定的な認証結果を回答すると、当該決済用識別情報を所定の電話番号に対応付けて記憶部に格納する。そしてサーバは、通信サービスの使用が可能になった旨を端末に通知する。以上の手順により、端末は、通信サービスを使用することが可能となる。
【００１５】
このように、本発明では、ユーザは、自身のクレジットカードやキャッシュカード等の決済媒体を端末に読み取らせるだけで、通信サービスの決済手段の登録を行い、端末を使用可能な状態とすることができる。これにより、本発明では、通信サービスの契約において、ショップ店員を介する必要が無くなり、また、記入フォームへの記入やコンピュータへの入力等の作業が必要無くなる。したがって、通信サービスの契約における決済手段の登録作業を簡素化することが可能となる。
【００１６】
（２）システムの構成
（２−１）構成の概要
図２は、本発明の実施形態に係る通信システム１の構成の一例を示す図である。図２に開示されるように、通信システム１では、通信ネットワークＮを介して通信管理サーバ１０と、決済用識別情報管理サーバ２０と、少なくとも一の端末３０とが、互いに情報を送受信可能なように接続される。通信ネットワークＮは、有線ネットワークや無線ネットワークであってもよい。通信ネットワークＮは、限定でなく例として、アドホック・ネットワーク（Ad Hoc Network）、イントラネット、エクストラネット、仮想プライベート・ネットワーク（Virtual Private Network：ＶＰＮ）、ローカル・エリア・ネットワーク（Local Area Network：ＬＡＮ）、ワイヤレスＬＡＮ（Wireless LAN：ＷＬＡＮ）、広域ネットワーク（Wide Area Network：ＷＡＮ）、ワイヤレスＷＡＮ（Wireless WAN：ＷＷＡＮ）、大都市圏ネットワーク（Metropolitan Area Network：ＭＡＮ）、インターネットの一部、公衆交換電話網（Public Switched Telephone Network：ＰＳＴＮ）の一部、携帯電話網、ＩＳＤＮｓ（Integrated Service Digital Networks）、無線ＬＡＮｓ、ＬＴＥ（Long Term Evolution）、プライベートＬＴＥ、ＣＤＭＡ（Code Division Multiple Access）、ブルートゥース（Bluetooth（登録商標））、衛星通信など、または、これらの２つ以上の組合せを含むことができる。通信ネットワークＮは、１つまたは複数の通信ネットワークを含むことができる。通信管理サーバ１０は、例えば、通信サービスの管理者が利用するサーバであって、通信サービスを利用するユーザの各種情報を管理するためのサーバである。決済用識別情報管理サーバ２０は、例えば、クレジットカード会社や銀行等の金融機関が利用するサーバであって、ユーザの決済用識別情報を管理するためのサーバである。端末３０は、例えば、ユーザが利用する情報処理端末であって、所定の登録処理を行う事により上述した通信サービスを利用することが可能となる端末である。端末３０は、クレジットカードやキャッシュカード等の決済媒体が結合（例えば、端末３０内への挿入）することができるように構成されてもよい。端末３０は、結合又は近接された決済媒体を読み取ることにより決済用識別情報を取得した上で、通信管理サーバ１０に、通信サービスの費用の決済手段として当該決済用識別情報を登録することを要求する決済手段登録要求を送信することができる。そして、通信管理サーバ１０によって決済手段の登録処理がなされると、ユーザは当該端末３０を用いて通信サービスを利用することが可能となる。
【００１７】
（２−２）機能構成
（２−２−１）通信管理サーバ１０
図３は、通信管理サーバ１０の機能構成を示す概略図である。図３に示すとおり、通信管理サーバ１０は、例えば、記憶部１１と、通信部１２と、制御部１３とを有する。
【００１８】
記憶部１１は、例えば、半導体メモリ、磁気ディスク装置及び光ディスク装置の内の少なくとも一つを有する。記憶部１１は、制御部１３による処理に用いられるドライバプログラム、オペレーティングシステムプログラム、アプリケーションプログラム、データ等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いて記憶部１１にインストールされてもよい。また、記憶部１１は、データとして、図４に示す契約情報管理テーブル等を記憶する。
【００１９】
図４を用いて、契約情報管理テーブルについて説明する。契約情報管理テーブルは、通信サービスの利用者の契約内容を管理するためのテーブルである。図４に示すとおり、契約情報管理テーブルには、例えば、「契約者ＩＤ」と、「端末ＩＤ」と、「電話番号」と、「決済手段」と、「契約内容」とが互いに対応付けて記録されている。「契約者ＩＤ」は、契約者を識別するためのＩＤであり、例えば、端末３０に格納されたＳＩＭカードに対応するＩＭＳＩ（International Mobile Subscriber Identity）であってよい。端末ＩＤは、端末３０を識別するためのＩＤであり、例えば、ＩＭＥＩ（International Mobile Equipment Identity）であってよい。当該端末ＩＤは、後述する端末３０の記憶部３１に格納されていてもよい。或いは、端末ＩＤは、端末３０に格納されたＳＩＭ（Subscriber Identity Module）カード等の媒体に付与されたＩＭＳＩ（International Mobile Subscriber Identity）等の媒体に固有なＩＤであってもよい。電話番号は、通信サービスの管理者が管理する電話番号である。決済手段は、通信サービスの費用を支払うための手段を示す情報である。決済手段は、例えば、クレジット払いであればクレジットカード番号、口座振替であれば銀行口座番号等の、決済用識別情報である。通信サービスの費用は、当該決済手段に記載された手段によって例えば所定の周期等で引き落とされる。「契約内容」は、通信サービスの契約内容を示す情報であり、例えば、基本料金、インターネット接続基本料、パケット定額料、通話単価、パケット通信単価、かけ放題プランの内容等を含む。
【００２０】
通信部１２は、通信管理サーバ１０を通信ネットワークＮに接続するための通信インターフェース回路を有する。通信部１２は、決済用識別情報管理サーバ２０及び端末３０等の他の情報処理装置から受信したデータを制御部１３に供給する。
【００２１】
制御部１３は、一又は複数個のプロセッサ及びその周辺回路を有する。制御部１３は、通信管理サーバ１０の全体的な動作を統括的に制御するものであり、例えば、ＣＰＵ（Central Processing Unit）である。制御部１３は、通信管理サーバ１０の各種処理が記憶部１１に記憶されているプログラム等に応じて適切な手順で実行されるように、通信部１２等の動作を制御する。制御部１３は、記憶部１１に記憶されているプログラム（ドライバプログラム、オペレーティングシステムプログラム、アプリケーションプログラム等）に基づいて処理を実行する。また、制御部１３は、複数のプログラム（アプリケーションプログラム等）を並列に実行できる。
【００２２】
制御部１３は、例えば、認証要求部１３１と、テーブル更新部１３２とを有する。認証要求部１３１は、端末３０から受信した決済手段登録要求に応じて、決済用識別情報の認証を決済用識別情報管理サーバ２０に要求する処理を実行する。テーブル更新部１３２は、決済用識別情報等を契約情報管理テーブルに登録することにより当該契約情報管理テーブルを更新する。
【００２３】
（２−２−２）決済用識別情報管理サーバ２０
図５は、決済用識別情報管理サーバ２０の機能構成を示す概略図である。上述したとおり、決済用識別情報管理サーバ２０は、例えば、クレジットカード会社や銀行等の金融機関が利用するサーバであって、ユーザの決済手段を管理するためのサーバである。図５に示すとおり、決済用識別情報管理サーバ２０は、例えば、記憶部２１と、通信部２２と、制御部２３とを有する。
【００２４】
記憶部２１は、例えば、半導体メモリ、磁気ディスク装置及び光ディスク装置の内の少なくとも一つを有する。記憶部２１は、制御部２３による処理に用いられるドライバプログラム、オペレーティングシステムプログラム、アプリケーションプログラム、データ等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いて記憶部２１にインストールされてもよい。また、決済用識別情報管理サーバ２０が、銀行が利用するサーバである場合、記憶部２１はデータとして図６に示す口座管理テーブル等を記憶する。また、決済用識別情報管理サーバ２０が、クレジットカード会社が利用するサーバである場合、記憶部２１はデータとして図７に示すクレジット管理テーブル等を記憶する。
【００２５】
図６を用いて、口座管理テーブルについて説明する。口座管理テーブルは、銀行口座に関する情報を管理するためのテーブルである。図６に示すとおり、口座管理テーブルには、例えば、「銀行口座番号」、「認証用データ」、「利用明細」、「氏名」、及び「住所」等が互いに対応付けて記録されている。「銀行口座番号」は、口座を識別するための識別情報であって、例えば、口座の種類を示す情報（例えば、普通、当座、定期等）や口座番号自体等を含んでもよい。「認証用データ」は、銀行口座にアクセスするために必要な認証用データであり、例えば、暗証番号の他、顔認証用データとして口座保有者の顔情報を含んでもよい。「利用明細」は、当該口座の振込、引出、預金等の取引に関する明細を示す情報である。「氏名」は、当該口座保有者の氏名を示す情報である。「住所」は、当該口座保有者の住所を示す情報である。
【００２６】
図７を用いて、クレジット管理テーブルについて説明する。クレジット管理テーブルは、クレジットカードに関する情報を管理するためのテーブルである。図７に示すとおり、クレジット管理テーブルには、例えば、「クレジットカード番号」、「口座情報」、「認証用データ」、「利用明細」、「氏名」、及び「住所」等が互いに対応付けて記録されている。「クレジットカード番号」は、クレジットカードを識別するための識別情報である。「口座情報」は、クレジットカード番号に対応付けられた口座に係る情報を含む。当該情報は例えば、当該口座の種類を示す情報（例えば、普通、当座、定期等）や口座番号自体等を含んでもよい。「認証用データ」は、クレジットカードにアクセスするために必要な認証用データであり、例えば、暗証番号の他、顔認証用データとして口座保有者の顔情報を含んでもよい。「利用明細」は、当該クレジットカードの振込、引出、預金等の取引に関する明細を示す情報である。「氏名」は、当該クレジットカード保有者の氏名を示す情報である。「住所」は、当該クレジットカード保有者の住所を示す情報である。
【００２７】
通信部２２は、決済用識別情報管理サーバ２０を通信ネットワークＮに接続するための通信インターフェース回路を有する。通信部２２は、通信管理サーバ１０等の他の情報処理装置から受信したデータを制御部２３に供給する。
【００２８】
制御部２３は、一又は複数個のプロセッサ及びその周辺回路を有する。制御部２３は、決済用識別情報管理サーバ２０の全体的な動作を統括的に制御するものであり、例えば、ＣＰＵ（Central Processing Unit）である。制御部２３は、決済用識別情報管理サーバ２０の各種処理が記憶部２１に記憶されているプログラム等に応じて適切な手順で実行されるように、通信部２２等の動作を制御する。制御部２３は、記憶部２１に記憶されているプログラム（ドライバプログラム、オペレーティングシステムプログラム、アプリケーションプログラム等）に基づいて処理を実行する。また、制御部２３は、複数のプログラム（アプリケーションプログラム等）を並列に実行できる。
【００２９】
制御部２３は、例えば、認証部２３１を有する。認証部２３１は、通信管理サーバ１０から認証要求を受信した場合、口座管理テーブルを参照して、通信管理サーバ１０から受信した認証用データが口座管理テーブル又はクレジット管理テーブルに記録された正当なものであるかを判定することにより、認証を実行し、当該認証の結果を通信管理サーバ１０に送信する。
【００３０】
（２−２−４）端末３０
図８は、端末３０の機能構成を示す概略図である。図８に示すとおり、端末３０は、例えば、媒体挿入部３０Ｉと、記憶部３１と、通信部３２と、操作部３３と、表示部３４と、制御部３５と、撮像部３６と、読取部３７とを有する。
【００３１】
端末３０には、例えば、端末製造者が付した上述の端末ＩＤ（例えば、上述のＩＭＥＩ）が付されている。また、端末３０には、例えば、上述した契約者を識別するための契約者ＩＤ（例えば、上述のＩＭＳＩ）が付されたＳＩＭカードが格納されている。
【００３２】
媒体挿入部３０Ｉは、端末３０の筐体等に設けられた、クレジットカードやキャッシュカード等の決済媒体と結合するための結合部の一例である。具体的には、媒体挿入部３０Ｉは、クレジットカードやキャッシュカード等の決済媒体を挿入することが可能な開口部である。端末３０は、媒体挿入部３０Ｉに限らず、決済媒体と結合可能な機構であれば、他の機構によって実現される結合部を有していてもよい。端末３０のカバーやケースではなく、端末３０自体に決済媒体の結合部（挿入部）が設けられているため、決済媒体を容易且つ安全に管理することが可能となる。なお、端末３０は媒体挿入部３０Ｉを有していなくてもよい。
【００３３】
記憶部３１は、例えば、半導体メモリ装置を備える。記憶部３１は、制御部３５での処理に用いられるオペレーティングシステムプログラム、ドライバプログラム、アプリケーションプログラム、データ等を記憶する。各種プログラムは、例えばＣＤ−ＲＯＭ、ＤＶＤ−ＲＯＭ等のコンピュータ読み取り可能な可搬型記録媒体から、公知のセットアッププログラム等を用いて記憶部３１にインストールされてもよい。記憶部３１には、上述のＩＭＥＩ等の端末ＩＤ、及び上述のＩＭＳＩ等の契約者ＩＤを記憶している。
【００３４】
通信部３２は、通信インターフェース回路を備え、端末３０を通信ネットワークＮに接続する。通信部３２は、通信ネットワークＮを介して制御部３５から供給されたデータを通信管理サーバ１０等に送信する。また、通信部３２は、通信ネットワークＮを介して通信管理サーバ１０等から受信したデータを制御部３５に供給する。
【００３５】
操作部３３は、端末３０の操作が可能であればどのようなデバイスでもよく、例えば、タッチパネルやキーボタン等である。ユーザは、操作部３３を用いて、文字や数字、記号等を入力することができる。操作部３３は、ユーザにより操作されると、その操作に対応する信号を発生する。そして、発生した信号は、ユーザの指示として、制御部３５に供給される。
【００３６】
表示部３４は、映像や画像等の表示が可能であればどのようなデバイスでもよく、例えば、液晶ディスプレイや有機ＥＬ（Electro−Luminescence）ディスプレイ等である。表示部３４は、制御部３５から供給された映像データに応じた映像や、画像データに応じた画像等を表示する。
【００３７】
制御部３５は、一又は複数個のプロセッサ及びその周辺回路を備える。制御部３５は、端末３０の全体的な動作を統括的に制御するものであり、例えば、ＣＰＵである。制御部３５は、端末３０の各種処理が記憶部３１に記憶されているプログラムや操作部３３の操作等に基づいて適切な手順で実行されるように、通信部３２や表示部３４等の動作を制御する。制御部３５は、記憶部３１に記憶されているプログラム（オペレーティングシステムプログラムやドライバプログラム、アプリケーションプログラム等）に基づいて処理を実行する。また、制御部３５は、複数のプログラム（アプリケーションプログラム等）を並列に実行することができる。
【００３８】
制御部３５は、例えば、取得部３５１と、登録要求処理部３５２と、表示制御部３５３と、を有する。取得部３５１は、例えば、媒体挿入部３０Ｉに挿入されたクレジットカードやキャッシュカード等の決済媒体を読み取るように読取部３７を制御する。登録要求処理部３５２は、例えば、決済手段登録要求を通信管理サーバ１０に送信する。表示制御部３５３は、例えば、表示データに基づいて表示部３４に各種画面を表示させる。
【００３９】
撮像部３６は、例えば、ＣＭＯＳセンサ等で構成される撮像素子を有するカメラであり、撮像することにより画像を生成する。例えば、当該画像は、顔認証用のユーザの顔情報を取得するために使用される。
【００４０】
読取部３７は、例えば、所定の電磁波を発生させることにより、媒体挿入部３０Ｉに挿入され又は端末３０に近接されたクレジットカードやキャッシュカード等の決済媒体に格納された情報を読み取ることの可能な回路モジュールである。読取部３７は、クレジットカードやキャッシュカード等の決済媒体を読み取ることによりクレジットカード番号や銀行口座番号を取得し、制御部３５に供給する。読取部３７と決済媒体との通信方法は特に限定されないが、例えば、任意の近距離無線通信規格（例えばＢｌｕｅｔｏｏｔｈ、赤外線通信、ＮＦＣ、及びフェリカ（Ｔｙｐｅ  Ａ、Ｔｙｐｅ  Ｂ）等）の少なくとも１つを含んでもよい。
【００４１】
（３）動作処理
図９は、本発明の実施形態に係る通信システム１による決済手段の登録処理の動作シーケンスの一例を示す図である。
【００４２】
まず、端末３０の表示制御部３５３は、記憶部３１に記憶された表示データに基づいて、表示部３４に、決済媒体の読取を指示する読取指示画面を表示させる（Ｓ１）。図１０は、読取指示画面の一例を示す図である。図７に示すとおり、読取指示画面には、クレジットカードやキャッシュカード等の決済媒体の挿入を促す「決済媒体を挿入してください」、「決済媒体を近づけてください」等のインストラクションが表示される。
【００４３】
次に、ユーザが登録用画面に表示されたインストラクションにしたがって、自身が保有するクレジットカードやキャッシュカード等の決済媒体を端末３０の媒体挿入部３０Ｉに挿入又は端末３０に近接させると、端末３０の取得部３５１は、媒体挿入部３０Ｉに挿入され又は端末３０に近接されたクレジットカードやキャッシュカード等の決済媒体を読み取るように読取部３７を制御する（Ｓ２）。これにより、取得部３５１は、媒体挿入部３０Ｉに挿入され又は端末３０に近接された決済媒体に対応する決済用識別情報（クレジットカード番号や、銀行口座番号等）を取得し、取得した決済用識別情報を制御部３５に供給する。
【００４４】
次に、端末３０の表示制御部３５３は、認証用データを入力するための画面を表示部３４に表示させる。例えば、表示制御部３５３は、暗証番号入力画面を表示部３４に表示させる（Ｓ３）。図１１は、暗証番号入力画面の一例を示す図である。図８に示すとおり、暗証番号入力画面には、例えば、認証用データとしての暗証番号の入力を促す「暗証番号を入力してください」等のインストラクションと、暗証番号の入力部とが表示される。ユーザは、端末３０の操作部３３を操作することにより、暗証番号を入力できる。
【００４５】
或いは、端末３０の表示制御部３５３は、図１２に示す顔情報入力画面を表示部３４に表示させる（Ｓ３）。図１２に示すとおり、顔情報入力画面には、例えば、認証用データとしての顔認証のための顔画像を撮像するように促す「顔を撮影してください」等のインストラクションが表示される。ユーザは、端末３０の撮像部３６によって、自身の顔を撮像することができる。これにより、顔認証のための顔情報が入力される。
【００４６】
次に、ユーザが暗証番号入力画面に表示されたインストラクションにしたがって、媒体挿入部３０Ｉに挿入又は端末３０に近接したクレジットカードやキャッシュカード等の決済媒体の暗証番号を、操作部３３を介して入力すると、端末３０の取得部３５１は当該入力を受け付け、暗証番号を取得する（Ｓ４）。なお、暗証番号入力画面に代えて顔認証画面が表示部３４に表示された場合は、ユーザは、撮像部３６を用いて自身の顔を撮像すると、端末３０の登録要求処理部３５２は撮像部３６が生成した画像に基づいてユーザの顔情報を取得する（Ｓ４）。
【００４７】
次に、端末３０の登録要求処理部３５２は、記憶部３１に記憶された端末ＩＤ及び契約者ＩＤと、Ｓ２で取得された決済用識別情報と、Ｓ４で取得された認証用データと、決済手段登録要求とを通信管理サーバ１０に送信する（Ｓ５）。
【００４８】
次に、通信管理サーバ１０の認証要求部１３１は、端末３０から受信した決済手段登録要求に応じて、認証要求を決済用識別情報管理サーバ２０に送信する（Ｓ６）。このとき、認証要求部１３１は、当該認証要求と併せて、Ｓ２で取得された決済用識別情報と、Ｓ４で取得された認証用データとを決済用識別情報管理サーバ２０に送信する。
【００４９】
次に、決済用識別情報管理サーバ２０の認証部２３１は、通信管理サーバ１０から認証要求を受信すると、口座管理テーブル又はクレジット管理テーブルにおいて通信管理サーバ１０から受信した決済用識別情報に対応付けられた認証用データと、通信管理サーバ１０から受信した認証用データとが一致するかを判定し、一致していた場合には肯定的な認証結果を通信管理サーバ１０に送信する（Ｓ７）。認証部２３１は、口座管理テーブル又はクレジット管理テーブルにおいて通信管理サーバ１０から受信した認証要求に含まれる決済用識別情報に対応付けられた認証用データと、通信管理サーバ１０から受信した認証用データとが一致していないと判定した場合には否定的な認証結果と通信管理サーバ１０に送信する。
【００５０】
次に、通信管理サーバ１０のテーブル更新部１３２は、決済用識別情報管理サーバ２０から肯定的な認証結果を受信すると、決済手段を登録する（Ｓ８）。具体的には、テーブル更新部１３２は、端末３０から受信した決済用識別情報と、端末３０から受信した契約者ＩＤ及び端末ＩＤと、所定の電話番号とを対応付けて契約情報管理テーブル登録する。
【００５１】
次に、通信管理サーバ１０のテーブル更新部１３２は、決済手段が登録された旨を通知する登録済通知を端末３０に送信する（Ｓ９）。なお、通信管理サーバ１０の制御部１３は、更に、通信サービスの契約プランのリコメンドを生成してもよい。当該リコメンドは、例えば、決済用識別情報管理サーバ２０から取得した利用明細等に基づいて、生成してもよい。より具体的には、利用明細（口座残高や取引履歴等）や、利用者の属性情報（年齢や性別、国籍等）に基づいて、当該利用者に適する少なくとも一の契約プランを抽出することにより当該リコメンドを生成してもよい。
【００５２】
次に、端末３０の表示制御部３５３は、通信管理サーバ１０から登録済通知を受信すると、登録済通知画面を表示部３４に表示させる（Ｓ１０）。図１３は、登録済通知画面の一例を示す図である。図１３に示すとおり、登録済通知画面には、例えば、決済手段の登録が完了した旨や、登録された電話番号が含まれてもよい。また、端末３０の表示制御部３５３は、登録済通知画面内または他の画面内に、通信サービスの契約プラン等の契約内容のリコメンドを表示させてもよい。ユーザは、表示部３４に表示された契約内容のリコメンドから、希望する契約内容を選択すると、端末３０は、選択された契約内容に係る通知を通信管理サーバ１０に送信してもよい。通信管理サーバ１０は、当該通知を受信すると、当該通知に含まれる選択された契約内容を契約情報管理テーブルに登録してもよい。以上で、通信システム１の動作処理が終了する。
【００５３】
（４）その他
クレジットカードやキャッシュカード等の決済媒体は、バッテリーや通信機能等を有していてもよい。また、当該決済媒体は、指紋等による生体認証や暗証番号入力による個人認証が可能なＩＣカード等であってもよい。そして、決済媒体自身が生体認証や暗証番号入力による個人認証が完了したことを条件に、上述したステップＳ２における端末３０の読取部３７による決済媒体の読取を可能とする構成を採用しても良い。以下では、当該構成を実現するための、決済媒体４０の構成と、端末３０及び決済媒体４０の動作処理とを説明する。
【００５４】
（４−１）決済媒体の構成
図１４は、決済媒体４０の機能構成を示す概略図である。図１４に示すとおり、決済媒体４０は、例えば、記憶部４１と、通信部４２と、操作部４３と、表示部４４と、制御部４５と、入力部４６と、を有する。
【００５５】
記憶部４１は、例えば、半導体メモリ装置を備える。記憶部４１は、制御部４５での処理に用いられるオペレーティングシステムプログラム、ドライバプログラム、アプリケーションプログラム、データ等を記憶する。記憶部４１には、決済媒体４０に係る暗証番号や、生体認証用の情報が格納されている。
【００５６】
通信部４２は、通信インターフェース回路を備え、決済媒体４０を通信ネットワークＮに接続する。通信部４２は、通信ネットワークＮを介して制御部４５から供給されたデータを通信管理サーバ１０等に送信する。また、通信部４２は、通信ネットワークＮを介して通信管理サーバ１０等から受信したデータを制御部４５に供給する。
【００５７】
表示部４４は、映像や画像等の表示が可能であればどのようなデバイスでもよく、例えば、液晶ディスプレイや有機ＥＬ（Electro−Luminescence）ディスプレイ等である。表示部４４は、制御部４５から供給された映像データに応じた映像や、画像データに応じた画像等を表示する。或いは、表示部４４は、ＬＥＤ等の点灯可能な装置であってよい。
【００５８】
制御部４５は、一又は複数個のプロセッサ及びその周辺回路を備える。制御部４５は、決済媒体４０の全体的な動作を統括的に制御するものであり、例えば、ＣＰＵである。制御部４５は、決済媒体４０の各種処理が記憶部４１に記憶されているプログラムや操作部４３の操作等に基づいて適切な手順で実行されるように、通信部４２や表示部４４等の動作を制御する。制御部４５は、記憶部４１に記憶されているプログラム（オペレーティングシステムプログラムやドライバプログラム、アプリケーションプログラム等）に基づいて処理を実行する。また、制御部４５は、複数のプログラム（アプリケーションプログラム等）を並列に実行することができる。
【００５９】
制御部４５は、例えば、認証部４５１と、表示制御部４５２と、を有する。認証部４５１は、後述する入力部４６から供給された暗証番号の情報又は生体認証用の情報を、記憶部４１に格納された決済媒体４０に係る暗証番号や、生体認証用の情報と照合して、ユーザの認証処理を実行する。表示制御部４５２は、例えば、表示データに基づいて表示部４４に各種画面を表示させる。
【００６０】
入力部４６は、例えば、暗証番号としての文字や数字、記号等を入力することができるタッチパネルやキーボタン等であってよい。或いは、入力部４６は、指紋、網膜、虹彩、血管（静脈パターン）、音声、顔等を識別可能な生体認証用の情報の入力を受け付けるセンサであってもよい。入力部４６は、受け付けた暗証番号の情報又は生体認証用の情報を示す信号を制御部４５に供給する。
【００６１】
（４−２）動作処理
上述したステップＳ２においては、まず決済媒体４０の入力部４６は、ユーザによる暗証番号の入力或いは生体認証用の情報の入力を受け付ける。そして、決済媒体４０の認証部４５１は、入力部４６から供給された暗証番号の情報又は生体認証用の情報を、記憶部４１に格納された決済媒体４０に係る暗証番号や、生体認証用の情報と照合して、ユーザの認証処理を実行する。そして、入力部４６から供給された暗証番号の情報又は生体認証用の情報が、記憶部４１に格納された決済媒体４０に係る暗証番号や、生体認証用の情報と合致することにより、ユーザが正しく認証されると、認証部４５１は、端末３０の取得部３５１による決済媒体４０の読取を許可する。
【００６２】
以上説明したとおり、本発明に係る情報処理端末は、所定の決済媒体を読み取ることにより決済手段決済手段決済用識別情報を取得し、且つ所定の決済媒体の認証用データの入力を受け付けることにより認証用データを取得する取得部と、決済手段決済用識別情報決済手段を、情報処理端末を利用した通信サービスの費用の決済手段として登録することを要求する決済手段登録要求と、決済手段決済用識別情報と、認証用データを含む決済手段登録要求とを情報処理装置に送信する送信部と、を備える。これにより、通信サービスの契約においてショップ店員等の人出を介さずに決済手段を登録することが可能となる。そのため、通信サービスの契約における決済手段の登録作業が簡素化される。
【００６３】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００６４】
１…通信システム、１０…通信管理サーバ、１１…記憶部、１２…通信部、１３…制御部、１３１…認証要求部、１３２…テーブル更新部、２０…決済用識別情報管理サーバ、２１…記憶部、２２…通信部、２３…制御部、２３１…認証部、２３２…口座情報処理部、３０…端末、３０Ｉ…媒体挿入部、３１…記憶部、３２…通信部、３３…操作部、３４…表示部、３５…制御部、３５１…口座ＩＤ取得部、３５２…登録要求処理部、３５３…表示制御部、３６…撮像部、３７…読取部
【図１】
2020173623.tif 000003
【図２】
2020173623.tif 000004
【図３】
2020173623.tif 000005
【図４】
2020173623.tif 000006
【図５】
2020173623.tif 000007
【図６】
2020173623.tif 000008
【図７】
2020173623.tif 000009
【図８】
2020173623.tif 000010
【図９】
2020173623.tif 000011
【図１０】
2020173623.tif 000012
【図１１】
2020173623.tif 000013
【図１２】
2020173623.tif 000014
【図１３】
2020173623.tif 000015
【図１４】
2020173623.tif 000016
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
ＳＩＭカードを格納可能に構成された情報処理端末であって、
クレジットカード又はキャッシュカードを読み取ることにより前記クレジットカード又は前記キャッシュカードに係る決済用識別情報を取得し、且つ前記クレジットカード又は前記キャッシュカードに係る認証用データの入力を受け付けることにより前記認証用データを取得する取得部と、
前記決済用識別情報を、前記情報処理端末を利用した通信サービスの費用の決済手段として登録することを要求する決済手段登録要求と、前記決済用識別情報と、前記認証用データとを、情報処理装置に送信する送信部と、を備える情報処理端末。
【請求項２】
前記認証用データは、前記決済媒体に対応する暗証番号を含む、請求項１に記載の情報処理端末。
【請求項３】
前記認証用データは、前記決済媒体の保有者の顔情報を含む、請求項１又は２に記載の情報処理端末。
【請求項４】
前記決済媒体は、クレジットカード又はキャッシュカードである、請求項１から３のいずれか一項に記載の情報処理端末。
【請求項５】
前記送信部は、前記情報処理端末を識別するための端末ＩＤを更に送信する、請求項１から４のいずれか一項に記載の情報処理端末。
【請求項６】
前記情報処理装置から、前記決済手段に基づいて生成された契約内容のリコメンドを受信する受信部と、
受信された前記契約内容のリコメンドを表示部に表示制御する表示制御部と、を更に備える、請求項１から５のいずれか一項に記載の情報処理端末。
【請求項７】
前記所定の決済媒体と結合する結合部を更に備える、請求項１から６のいずれか一項に記載の情報処理端末。
【請求項８】
前記結合部は、前記所定の決済媒体を挿入するための挿入部である、請求項７に記載の情報処理端末。
【請求項９】
ＳＩＭカードを格納可能に構成された情報処理端末に、
クレジットカード又はキャッシュカードを読み取ることにより前記クレジットカード又は前記キャッシュカードに係る決済用識別情報を取得し、且つ前記クレジットカード又は前記キャッシュカードに係る認証用データの入力を受け付けることにより前記認証用データを取得するステップと、
前記決済用識別情報を、前記情報処理端末を利用した通信サービスの費用の決済手段として登録することを要求する決済手段登録要求と、前記決済用識別情報と、前記認証用データとを、情報処理装置に送信するステップと、を実行させるプログラム。
【請求項１０】
情報処理端末及び情報処理装置を備える情報処理システムであって、
前記情報処理端末は、
ＳＩＭカードを格納可能に構成され、
クレジットカード又はキャッシュカードを読み取ることにより前記クレジットカード又は前記キャッシュカードに係る決済用識別情報を取得し、且つ前記クレジットカード又は前記キャッシュカードに係る認証用データの入力を受け付けることにより前記認証用データを取得する取得部と、
前記決済用識別情報を、前記情報処理端末を利用した通信サービスの費用の決済手段として登録することを要求する決済手段登録要求と、前記決済用識別情報と、前記認証用データとを、前記情報処理装置に送信する第１送信部と、を備え、
前記情報処理装置は、
前記認証用データの認証要求を他の情報処理装置に送信する第２送信部と、
前記他の情報処理装置から、前記認証用データの認証結果を受信する受信部と、
前記認証結果が肯定的であった場合、前記決済手段を、前記情報処理端末を利用した通信サービスの費用の決済手段として登録する登録部と、を備える、情報処理システム。
【請求項１１】
情報処理装置であって、
情報処理端末から、クレジットカード又はキャッシュカードを読み取ることにより取得された前記クレジットカード又は前記キャッシュカードに係る決済用識別情報を、前記情報処理端末を利用した通信サービスの費用の決済手段として登録することを要求する決済手段登録要求と、前記決済用識別情報と、認証用データとを受信する受信部と、
前記認証用データの認証要求を他の情報処理装置に送信する送信部と、
前記他の情報処理装置から、前記認証用データによる認証の結果を受信する受信部と、
前記結果が肯定的であった場合、前記決済手段を、前記情報処理端末を利用した通信サービスの費用の決済手段として登録する登録部と、を実行させる情報処理装置。                                                                                
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
ＳＩＭカードを格納可能に構成された情報処理端末であって、
クレジットカード又はキャッシュカードを読み取ることにより前記クレジットカード又は前記キャッシュカードに係る決済用識別情報を取得し、且つ前記クレジットカード又は前記キャッシュカードに係る認証用データの入力を受け付けることにより前記認証用データを取得する取得部と、
前記決済用識別情報を、前記情報処理端末を利用した通信サービスの費用の決済手段として登録することを要求する決済手段登録要求と、前記決済用識別情報と、前記認証用データとを、情報処理装置に送信する送信部と、
前記情報処理装置から、前記決済手段に基づいて生成された契約内容のリコメンドを受信する受信部と、
受信された前記契約内容のリコメンドを表示部に表示制御する表示制御部と、を備え、
前記契約内容のリコメンドは、前記通信サービスの利用者についての利用明細及び／又は属性情報に基づいて生成された少なくとも一の契約プランを含む、情報処理端末。
【請求項２】
前記認証用データは、前記クレジットカード又は前記キャッシュカードに対応する暗証番号を含む、請求項１に記載の情報処理端末。
【請求項３】
前記認証用データは、前記クレジットカード又は前記キャッシュカードの保有者の顔情報を含む、請求項１又は２に記載の情報処理端末。
【請求項４】
前記送信部は、前記情報処理端末を識別するための端末ＩＤを更に送信する、請求項１から３のいずれか一項に記載の情報処理端末。
【請求項５】
前記クレジットカード又は前記キャッシュカードと結合する結合部を更に備える、請求項１から４のいずれか一項に記載の情報処理端末。
【請求項６】
前記結合部は、前記クレジットカード又は前記キャッシュカードを挿入するための挿入部である、請求項５に記載の情報処理端末。
【請求項７】
ＳＩＭカードを格納可能に構成された情報処理端末に、
クレジットカード又はキャッシュカードを読み取ることにより前記クレジットカード又は前記キャッシュカードに係る決済用識別情報を取得し、且つ前記クレジットカード又は前記キャッシュカードに係る認証用データの入力を受け付けることにより前記認証用データを取得するステップと、
前記決済用識別情報を、前記情報処理端末を利用した通信サービスの費用の決済手段として登録することを要求する決済手段登録要求と、前記決済用識別情報と、前記認証用データとを、情報処理装置に送信するステップと、
前記情報処理装置から、前記決済手段に基づいて生成された契約内容のリコメンドを受信するステップと、
受信された前記契約内容のリコメンドを表示部に表示制御するステップと、を実行させるプログラムであって、
前記契約内容のリコメンドは、前記通信サービスの利用者についての利用明細及び／又は属性情報に基づいて生成された少なくとも一の契約プランを含む、プログラム。
【請求項８】
情報処理端末及び情報処理装置を備える情報処理システムであって、
前記情報処理端末は、
ＳＩＭカードを格納可能に構成され、
クレジットカード又はキャッシュカードを読み取ることにより前記クレジットカード又は前記キャッシュカードに係る決済用識別情報を取得し、且つ前記クレジットカード又は前記キャッシュカードに係る認証用データの入力を受け付けることにより前記認証用データを取得する取得部と、
前記決済用識別情報を、前記情報処理端末を利用した通信サービスの費用の決済手段として登録することを要求する決済手段登録要求と、前記決済用識別情報と、前記認証用データとを、前記情報処理装置に送信する送信部と、を備え、
前記情報処理装置は、
前記認証用データの認証要求を他の情報処理装置に送信する送信部と、
前記他の情報処理装置から、前記認証用データの認証結果を受信する受信部と、
前記認証結果が肯定的であった場合、前記決済手段を、前記情報処理端末を利用した通信サービスの費用の決済手段として登録する登録部と、
前記決済手段に基づいて生成された契約内容のリコメンドであって、前記通信サービスの利用者についての利用明細及び／又は属性情報に基づいて少なくとも一の契約プランを含む契約内容のリコメンドを生成する制御部と、
生成された前記契約内容のリコメンドを前記情報処理端末に送信する送信部と、
を備え、
前記情報処理端末は、更に、
前記情報処理装置から、前記契約内容のリコメンドを受信する受信部と、
受信された前記契約内容のリコメンドを表示部に表示制御する表示制御部と、を備える、情報処理システム。
【請求項９】
情報処理装置であって、
情報処理端末から、クレジットカード又はキャッシュカードを読み取ることにより取得された前記クレジットカード又は前記キャッシュカードに係る決済用識別情報を、前記情報処理端末を利用した通信サービスの費用の決済手段として登録することを要求する決済手段登録要求と、前記決済用識別情報と、認証用データとを受信する受信部と、
前記認証用データの認証要求を他の情報処理装置に送信する送信部と、
前記他の情報処理装置から、前記認証用データによる認証の結果を受信する受信部と、
前記結果が肯定的であった場合、前記決済手段を、前記情報処理端末を利用した通信サービスの費用の決済手段として登録する登録部と、
前記決済手段に基づいて生成された契約内容のリコメンドであって、前記通信サービスの利用者についての利用明細及び／又は属性情報に基づいて少なくとも一の契約プランを含む契約内容のリコメンドを生成する制御部と、
生成された前記契約内容のリコメンドを前記情報処理端末に送信する送信部と、
を備える情報処理装置。